(57)【要約】【課題】  様々な効果を有する無垢の椙材からなるパーテーションを、工具を使わず素人でも簡単に組み立てることができると共に、設置場所や多種多様な用途に対応した形態に手軽に設計変更が可能で、かつ無垢材の変形を構造的に抑制できる椙製パーテーションを提供する。【解決手段】本発明の椙製パーテーション１は、離間して立設配置された柱材３Ａ，３Ｂ，３Ｃの長溝２内に複数の本実板４の両側辺部４ｃが挿入されると共に、上下に隣接して配された本実板４は、下段の本実板４の上辺部に形成された凹辺部または凸辺部４ａに上段の前記本実板の下辺部に形成された凸辺部または凹辺部４ｂが噛合されることで壁面が構成されている。【選択図】図１
2013064288.tif 000002
【特許請求の範囲】
【請求項１】
離間して立設配置され側面に長手方向に沿って形成された長溝を有した複数の柱材と、
該柱材間に水平方向に延在するように配置された複数の本実板とを有し、
該本実板は上辺部に凹辺部または凸辺部が形成され下辺部に凸辺部または凹辺部が形成され、
離間して立設配置された前記柱材の長溝内に前記複数の本実板の両側辺部が挿入されると共に、
上下に隣接して配された前記本実板は、下段の前記本実板の上辺部に形成された凹辺部または凸辺部に上段の前記本実板の下辺部に形成された凸辺部または凹辺部が噛合されて壁面が構成されていることを特徴とする椙製パーテーション。
【請求項２】
前記柱材の前記長溝は四方側面にそれぞれ形成されている請求項１に記載の椙製パーテーション。
【請求項３】
前記柱材の前記長溝は、少なくとも一部が蟻溝に形成されている請求項１に記載の椙製パーテーション。
【発明の詳細な説明】
【技術分野】
【０００１】
本発明は、工具を使わず素人でも簡単に組み立てることができる椙製パーテーションに関するものである。
【背景技術】
【０００２】
椙は湿気の多い日本の風土に合った原産の針葉樹で、近年、椙が持つ様々な効果が提唱されている。例えば椙から出るフィトンチッド（揮発性物質）には、消臭効果、殺菌効果、空気浄化効果、芳香効果、さらには人にもたらすリラックス効果があることが指摘されている。
【０００３】
また、椙材自体、調湿効果、脱臭効果、吸音効果、防腐効果、耐熱効果に優れており、軽量で柔らかく温かみがあり経時変化で飴色に変色し、パーテーションの構成材として人や環境に優しい最適な材質と思われる。
【０００４】
しかし、素材として柔らかいため加工中に傷つきやすく、設置場所や多種多様な用途に対応した形態に加工することは熟練者でないと困難であった。また、無垢の椙材は収縮が激しいため経時変化で変形してしまうといった問題もあった。
【発明の概要】
【発明が解決しようとする課題】
【０００５】
そこで、本発明の課題は、様々な効果を有する無垢の椙材からなるパーテーションを、工具を使わず素人でも簡単に組み立てることができると共に、設置場所や多種多様な用途に対応した形態に手軽に設計変更が可能で、かつ無垢材の変形を構造的に抑制した椙製パーテーションを提供することにある。
【０００６】
上記課題を解決するものは、離間して立設配置され側面に長手方向に沿って形成された長溝を有した複数の柱材と、該柱材間に水平方向に延在するように配置された複数の本実板とを有し、該本実板は上辺部に凹辺部または凸辺部が形成され下辺部に凸辺部または凹辺部が形成され、離間して立設配置された前記柱材の長溝内に前記複数の本実板の両側辺部が挿入されると共に、上下に隣接して配された前記本実板は、下段の前記本実板の上辺部に形成された凹辺部または凸辺部に上段の前記本実板の下辺部に形成された凸辺部または凹辺部が噛合されて壁面が構成されていることを特徴とする椙製パーテーションである。
【０００７】
前記柱材の前記長溝は四方側面にそれぞれ形成されていることが好ましい。前記柱材の前記長溝は、少なくとも一部が蟻溝に形成されていることが好ましい。
【発明の効果】
【０００８】
請求項１に記載した発明によれば、様々な効果を有する無垢の椙材からなるパーテーションを、工具を使わず素人でも簡単に組み立てることができると共に、設置場所や多種多様な用途に対応した形態に手軽に設計変更が可能で、かつ無垢材の変形を構造的に抑制できる。
請求項２に記載した発明によれば、上記請求項１の効果に加え、十字方向のどの方向にも簡単に壁面を増設することができる。
請求項３に記載した発明によれば、上記請求項１または２の効果に加え、柱材とそれらの間に配される本実材等が分離することを抑止できる。
【図面の簡単な説明】
【０００９】
【図１】本発明の椙製パーテーションの一実施例の正面図である。
【図２】図１に示した椙製パーテーションの平面図である。
【図３】図１のＡ−Ａ線拡大端面図である。
【図４】図１のＢ−Ｂ線拡大端面図である。
【図５】図１に示した椙製パーテーションにおける本実板同士の噛合状態を説明するための説明図である。
【図６】図１に示した椙製パーテーションにおける上枠材の平面図である。
【図７】図１に示した椙製パーテーションにおける上枠材の正面図である。
【図８】図７のＣ−Ｃ線端面図である。
【図９】図１に示した椙製パーテーションにおける下枠材の平面図である。
【図１０】図１に示した椙製パーテーションにおける下枠材の正面図である。
【図１１】図１０のＤ−Ｄ線端面図である。
【図１２】図１に示した椙製パーテーションにおける中間枠材の平面図である。
【図１３】図１に示した椙製パーテーションにおける中間枠材の正面図である。
【図１４】図１３のＥ−Ｅ線端面図である。
【図１５】図１に示した椙製パーテーションにおけるキャップ部材の平面図である。
【図１６】図１５のＦ−Ｆ線断面図である。
【図１７】本発明の椙製パーテーションの他の実施例の平面図である。
【図１８】図１７に示した椙製パーテーションの使用状態を示した正面図である。
【図１９】本発明の椙製パーテーションの他の実施例の正面図である。
【図２０】図１９に示した椙製パーテーションの特徴部分を説明するための説明図である。
【図２１】本発明の椙製パーテーションの他の実施例の平面図である。
【図２２】図２１のＧ−Ｇ線断面図である。
【図２３】本発明の椙製パーテーションの他の実施例の正面図である。
【発明を実施するための形態】
【００１０】
本発明では、離間して立設配置された柱材３Ａ，３Ｂ，３Ｃの長溝２内に複数の本実板４の両側辺部４ｃを挿入すると共に、下段の本実板４の上辺部に形成された凹辺部または凸辺部４ａに上段の本実板４の下辺部に形成された凸辺部または凹辺部４ｂが噛合させて壁面を構成するため、工具を使わず素人でも簡単に組み立てることができると共に、設置場所や多種多様な用途に対応した形態に手軽に設計変更が可能で、かつ無垢材の変形を構造的に抑制できる椙製パーテーション１を実現した。
【実施例１】
【００１１】
本発明の椙製パーテーションを図１ないし図１６に示した一実施例を用いて説明する。
この実施例の椙製パーテーション１は、図１または図２に示すように、離間して立設配置され側面に長手方向に沿って形成された長溝２を有した複数の柱材３Ａ，３Ｂ，３Ｃと、柱材３Ａ，３Ｂ，３Ｃ間に水平方向に延在するように配置された複数の本実板４を有し、本実板４は上辺部に凸辺部４ａが形成され下辺部に凹辺部４ｂが形成され、離間して立設配置された柱材３Ａ，３Ｂ，３Ｃの長溝２内に複数の本実板４の両側辺部４ｃが挿入されると共に、上下に隣接して配された本実板４は、下段の本実板４の上辺部に形成された凸辺部４ａに上段の前記本実板の下辺部に形成された凹辺部４ｂが噛合されることで壁面が構成されている。以下、各構成について順次詳述する。
【００１２】
柱材３Ａ，３Ｂ，３Ｃは、後述する本実板４等（本実板４、上枠材６、下枠材７および中間枠材８）の壁面構成材の縦枠として機能する部材であり、本実板４等の水平方向の長さ分離間して垂直方向に立設配置されている。
【００１３】
柱材３Ａ，３Ｂ，３Ｃの上下端には、図１５または図１６に示したキャップ部材５が被嵌されている。具体的には、キャップ部材５は平面視略四角形で凹部５ａを内部に備えており、この凹部５ａ内に柱材３Ａ，３Ｂ，３Ｃの上下端がそれぞれ挿入されることにより、柱材３Ａ，３Ｂ，３Ｃの上下端に被嵌されている。
【００１４】
柱材３Ａ，３Ｂ，３Ｃの側面には、長手方向に沿って形成された長溝２が設けられており、この長溝２内に本実板４等の壁面構成材の端部が挿嵌されるように構成されている。
【００１５】
この実施例の柱材３Ａ，３Ｂ，３Ｃには、図３または図４に示すように、四方側面にそれぞれ長溝２が形成されており、十字方向のどの方向にも簡単に壁面を増設することができるように構成されている。
【００１６】
また、柱材３Ａ，３Ｂ，３Ｃの長溝２は、図３に示すように、少なくとも一部が蟻溝に形成されており、これにより、柱材３Ａ，３Ｂ，３Ｃとそれらの間に配される本実材４等壁面構成部材とが分離することを抑止されるよう構成されている。具体的には、この実施例の柱材３Ａ，３Ｂ，３Ｃの長溝２は、上部１００ｍｍが蟻溝に形成されており、後述する上枠材６を蟻落としにより係止するため、柱材３Ａ，３Ｂ，３Ｃと本実材４等壁面構成部材とが分離することが抑止される。
【００１７】
このように、本発明の椙製パーテーション１は、本実板４等の壁面構成材を、
柱材３Ａ，３Ｂ，３Ｃの長溝４内へ落とし込みするのみで壁面が構成されるため、様々な効果を有する無垢の椙材からなるパーテーションを、工具を使わず素人でも簡単に組み立てることができる。
【００１８】
なお、この実施例の椙製パーテーション１は、図２に示すように、平面視Ｌ型のパーテーションであるため、柱材３は３本であるが、これに限定されるものではなく、作製されるパーテーションの形態に応じて立設する柱材の本数は変化し、例えば平面視でコの字型のパーテーションである場合は４本の柱材を立設し、平面視で十の字型のパーテーションである場合は５本の柱材を立設する。
【００１９】
本実板４は、壁面を構成する部材であり、柱材３Ａ，３Ｂ，３Ｃ間に水平方向に延在するように複数枚配置される。具体的には、図４に示すように、離間して立設配置された柱材３Ａ，３Ｂ，３Ｃの長溝２内に複数の本実板４の両側辺部４ｃが挿入されて壁面が構成される。
【００２０】
なお、本実板とは本実加工された板状体であり、図５に示すように、上辺部には凹辺部または凸辺部（この実施例では凸辺部）４ａが形成され、下辺部には逆に凸辺部または凹辺部（この実施例では凹辺部）４ｂが形成されている。
【００２１】
そして、上下に隣接して配された本実板４は、図５に示すように、下段の本実板４の上辺部に形成された凸辺部４ａに上段の本実板の下辺部に形成された凹辺部４ｂが噛合されることで壁面が構成される。
【００２２】
このように、本発明の椙製パーテーション１は、壁面構成材として本実板４を使用しているため、壁面構成材同士が本実繋ぎされることで強固な壁面が構成できる。また、柱材３Ａ，３Ｂ，３Ｃに挿嵌される本実板４の枚数を増減することで壁面の高さを容易に調整することができる。
【００２３】
その他、この実施例の椙製パーテーション１は、上枠材６、下枠材７、中間枠材８および振れ止め材９から構成されている。
【００２４】
上枠材６は、図６に示すように、両端部に柱材３Ａ，３Ｂ，３Ｃの蟻溝２に係止されるほぞ６ａをそれぞれ有し、下部中央には、図７および図８に示すように本実板４の上辺部を挿入するための凹条溝６ｂを長手方向に沿って有している。
【００２５】
下枠材７には、図９または図１０に示すように、両端部にそれぞれ下方に向かって延出する延出部７ａが木ネジ７ｂにより固定されており、上部中央には、図１１に示すように、本実板４の下辺部を挿入するための凹条溝７ｃが長手方向に沿って設けられている。
【００２６】
延出部７ａは、柱材３Ａ，３Ｂ，３Ｃの下端に被嵌されるキャップ部材５の凹部５ａ内に柱材３Ａ，３Ｂ，３Ｃの下端と共に挿入され、椙製パーテーション１の下部において柱材３Ａ，３Ｂ，３Ｃと本実板４等壁面構成材とが分離することを抑止するように作用する。
【００２７】
中間枠材８は、図１２に示すように、両端部に柱材３Ａ，３Ｂ，３Ｃの長溝２に挿入されるほぞ８ａをそれぞれ有し、上部中央または下部中央には、図１３または図１４に示すように、上段に配される本実板４の下辺部を挿入するための凹条溝８ｂ、下段に配される本実板４の上辺部を挿入するための凹条溝８ｃを長手方向に沿ってそれぞれ有している。
【００２８】
振れ止め材９は、図２に示すように、上枠材６間の上部に架橋される部材であり、これにより、平面視で異なる方向に延出する壁面間を安定して保持することができる。なお、振れ止め材９の下部には上枠材６に嵌合するための嵌合用凹部が形成されている。また、振れ止め材９は堅木にて形成されている。
【００２９】
椙製パーテーション１の上記構成材のうち、キャップ部材５および振れ止め材９以外（柱材３Ａ，３Ｂ，３Ｃ、本実板４、上枠材６、下枠材７、中間枠材８）は、椙の無垢材にて形成されている。特に、本実板４は経時変化で飴色に変色し艶が出るように、自然乾燥材または低温乾燥材（４５℃以下で低温乾燥させたもの）にて形成されている。
【００３０】
このように、本発明の椙製パーテーション１は構成材の殆どが椙の無垢材を使用しているため、消臭効果、殺菌効果、空気浄化効果、芳香効果、人にもたらすリラックス効果、湿効果、脱臭効果、吸音効果、防腐効果、耐熱効果に優れたパーテーションが構成され、軽量で柔らかく温かみがあって経時変化で飴色に変色する人に優しいパーテーションが構成される。
【００３１】
つぎに、椙製パーテーション１の組立方法について説明する。
椙製パーテーション１を組み立てるには、まず、柱材３Ａ，３Ｂ，３Ｃの下端にキャップ部材５をそれぞれ取り付け立設させる。つぎに、下枠材７の延出部７ａをキャップ部材５内に挿嵌して、柱材３Ａ，３Ｂ，３Ｃの下部に下枠材７を取り付ける。
【００３２】
そして、本実板４および中間枠材８を落とし込みにより柱材３Ａ，３Ｂ，３Ｃ間に取り付け壁面を構成する。具体的には、本実板４の両辺部４ｃおよび中間枠材８のほぞ８ａを柱材３Ａ，３Ｂ，３Ｃの長溝２内に挿嵌して壁面を構成する。なお、この実施例では、三枚の本実板４を取り付ける毎に一本の中間枠材８を取り付けて壁面を構成している。その後、上枠材６のほぞ９ａを蟻溝２内に挿嵌して上枠材６を柱材３Ａ，３Ｂ，３Ｃに取り付け壁面を完成させる。そして、キャップ部材５を柱材３Ａ，３Ｂ，３Ｃの上端にそれぞれ被嵌すると共に、振り止め材９を上枠材６間に取り付けて椙製パーテーション１が完成する。
【００３３】
このように、本発明の椙製パーテーション１は、工具を一切使わず素人でも簡単に組み立てることができる。また、本実板４の取付枚数を調整することで壁面の高さも調整可能である。さらに、本実板４の落とし込みおよび上枠材６の蟻落としによる押さえにより本実板４間に隙間が空くことがなく、収縮の激しい無垢材の変形を構造的に抑制できる。さらに、部材間の固定に釘、金物または接着剤を一切使用しないため完全固定とならず、湿度等による膨張や収縮に自在に対応し割れや変形が生じ難い椙製パーテーションが構成される。
【００３４】
さらに、本発明の椙製パーテーションの他の実施例について順次説明する。
図１７または図１８に示した椙製パーテーション１０と前述した椙製パーテーション１との基本的な相違は、中間枠材８に代えてテレビ載置台１１およびビデオ載置台１２が設けられている点である。椙製パーテーション１と同一構成部分ついては同一符号を付し説明を省略する。
【００３５】
具体的には、この実施例では、テレビ載置台１１およびビデオ載置台１２が、複数枚の板状体が両端部で上下の本実板４間に挟持されて水平方向に延在するように固定されている。このように、本発明の椙製パーテーションは、テレビ等の載置台を設けることも容易であり、設置場所や多種多様な用途に対応した形態に手軽に設計変更が可能である。
【００３６】
図１９または図２０に示した椙製パーテーション２０と前述した椙製パーテーション１との基本的な相違は、本実板４の一枚がアクリル板２１に代えられている点である。椙製パーテーション１と同一構成部分ついては同一符号を付し説明を省略する。
【００３７】
具体的には、アクリル板２１は、図２０に示すように、上下に配された本実板４の凹辺部４ｂ内に上下端辺部がそれぞれ挿嵌され本実板４間に挟持されることにより壁面の一部を構成している。このように、本発明の椙製パーテーションは、壁面を構成する本実板４を異種材料からなる板状体に代替することも容易である。
【００３８】
図２１または図２２に示した椙製パーテーション３０と前述した椙製パーテーション１との基本的な相違は、平面視でコの字型となるように柱材３Ｄが設けられ柱材３Ａ，３Ｄ間にも壁面が構成されている点と、３面の壁面に架設されたテーブル３１を有する点である。椙製パーテーション１と同一構成部分ついては同一符号を付し説明を省略する。
【００３９】
具体的には、この実施例の椙製パーテーション３０は３壁面で区画されたブースを構成すると共に、水平方向に並設された板状体の両辺部の上下にそれぞれ形成された凹辺部内に本実板４が挿嵌され本実板４間に挟持されることによりテーブル３１が構成されている。このように、本発明の椙製パーテーションは、テーブルを有するブースを構成することも容易である。
【００４０】
なお、テーブル３１を有したブースである椙製パーテーション３０は、オフィス内の机付きブースとして使用可能な他、展示品を載置するテーブル付きの展示会用ブース、乳幼児のおむつ替え用目隠し付きブースなどとしても好適に使用できる。また、椙製パーテーション３０はテーブル付きブースであるが、本発明の椙製パーテーションは、テーブルを設けず既存の机をブース内に配して平面視コの字型の個人用ブースとして使用することも可能である。
【００４１】
図２３に示した椙製パーテーション４０と前述した椙製パーテーション１との基本的な相違は、本実板４にコンセントプレート等の配線用プレート４１が取り付けられている点である。椙製パーテーション１と同一構成部分ついては同一符号を付し説明を省略する。本発明の椙製パーテーションは椙の無垢材にて壁面が構成されているため、所望形状の穴を切断加工した上で配線用プレート４１を取り付けることも容易である。  
【符号の説明】
【００４２】
１      椙製パーテーション
２      長溝
３      柱材
４      本実板
４ａ    凹辺部または凸辺部
４ｂ    凸辺部または凹辺部
５      キャップ部材
６      上枠材
７      下枠材
８      中間枠材
９      振れ止め材
【図１】
2013064288.tif 000003
【図２】
2013064288.tif 000004
【図３】
2013064288.tif 000005
【図４】
2013064288.tif 000006
【図５】
2013064288.tif 000007
【図６】
2013064288.tif 000008
【図７】
2013064288.tif 000009
【図８】
2013064288.tif 000010
【図９】
2013064288.tif 000011
【図１０】
2013064288.tif 000012
【図１１】
2013064288.tif 000013
【図１２】
2013064288.tif 000014
【図１３】
2013064288.tif 000015
【図１４】
2013064288.tif 000016
【図１５】
2013064288.tif 000017
【図１６】
2013064288.tif 000018
【図１７】
2013064288.tif 000019
【図１８】
2013064288.tif 000020
【図１９】
2013064288.tif 000021
【図２０】
2013064288.tif 000022
【図２１】
2013064288.tif 000023
【図２２】
2013064288.tif 000024
【図２３】
2013064288.tif 000025